(57)【要約】【課題】２個のカメラ部を同時にかつ、容易に筐体内部に位置決め配設することができる携帯電子機器を提供することである。【解決手段】保持部３０は、第１カメラ部２１ａをフロントケース６側の面に、フロントケース６側の面を向いた状態で保持し、第２カメラ部２１ｂをリアケース７の面に、リアケース７の筐体側の面を向いた状態で保持し、第１カメラ部２１ａと第２カメラ部２１ｂは摺動移動可能に保持する。【選択図】図６
2011049898.tif 000002
【特許請求の範囲】
【請求項１】
第１の筐体と、
該第１の筐体と内面どうしを対向して接合させられることによって収納空間を形成する第２の筐体と、
前記収納空間内部に配設される、第１のカメラ部と第２のカメラ部が実装され折り畳み可能なプリント基板と、
前記収納空間内部に配設され、折り畳まれた前記プリント基板の間に挟み込まれる保持部と、を有し、
前記保持部は、
前記第１のカメラ部を前記第１の筐体側の面に、前記第１の筐体側の面を向いた状態で保持し、
前記第２のカメラ部を前記第２の筐体側の面に、前記第２の筐体側の面を向いた状態で保持し、
前記第１のカメラ部と前記第２のカメラ部を摺動方向に相対移動可能に保持する
携帯電子機器。
【請求項２】
前記第１の筐体は、前記第１のカメラ部を位置決め配設するための第１の位置決め部を有し、
前記第２の筐体は、前記第２のカメラ部を位置決め配設するための第２の位置決め部を有する
請求項１に記載の携帯電子機器。
【請求項３】
前記保持部は、
前記第１のカメラ部を前記第１の筐体側の面に、前記第１の筐体側の面を向いた状態で保持し、
前記第２のカメラ部を前記第２の筐体側の面に、前記第２の筐体側の面を向いた状態で保持する
突起部を有する
請求項１又は２に記載の携帯電子機器。
【請求項４】
前記突起部は、
前記第１のカメラ部を前記第１の筐体側の面に、前記第１の筐体側の面を向いた状態で保持する、突起形状の第１の突起部と、
前記第２のカメラ部を前記第２の筐体側の面に、前記第２の筐体側の面を向いた状態で保持する、突起形状の第２の突起部と、を含み、
前記第１の突起部は、前記第１のカメラ部と前記保持部を摺動移動可能に、かつ、前記第１の筐体側に移動しないように保持し、
前記第２の突起部は、前記第２のカメラ部と前記保持部を摺動移動可能に、かつ、前記第２の筐体側に移動しないように保持する
請求項１〜３いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、カメラユニットの周囲をホルダ部材で包みつつ保持し、携帯電子機器のケースで回路基板側に固定するカメラユニットの固定構造が記載されている。
【先行技術文献】
【特許文献】
【０００３】
【特許文献１】特開２００４―２００９４４号公報
【発明の概要】
【発明が解決しようとする課題】
【０００４】
しかしながら、特許文献１は１個のカメラ部の組み込み構造のみが開示されているにすぎず、２個のカメラ部を同時に組み込む構造は一切開示されていない。
【０００５】
本発明の目的は、２個のカメラ部を同時にかつ、容易に筐体内部に位置決め配設することができる携帯電子機器を提供することである。
【課題を解決するための手段】
【０００６】
本発明の携帯電子機器は、第１の筐体と、該第１の筐体と内面どうしを対向して接合させられることによって収納空間を形成する第２の筐体と、前記収納空間内部に配設される、第１のカメラ部と第２のカメラ部が実装され折り畳み可能なプリント基板と、前記収納空間内部に配設され、折り畳まれた前記プリント基板の間に挟み込まれる保持部と、を有し、前記保持部は、前記第１のカメラ部を前記第１の筐体側の面に、前記第１の筐体側の面を向いた状態で保持し、前記第２のカメラ部を前記第２の筐体側の面に、前記第２の筐体側の面を向いた状態で保持し、前記第１のカメラ部と前記第２のカメラ部を摺動方向に相対移動可能に保持する。
【０００７】
好適には、前記第１の筐体は、前記第１のカメラ部を位置決め配設するための第１の位置決め部を有し、前記第２の筐体は、前記第２のカメラ部を位置決め配設するための第２の位置決め部を有する。
【０００８】
好適には、前記保持部は、前記第１のカメラ部を前記第１の筐体側の面に、前記第１の筐体側の面を向いた状態で保持し、前記第２のカメラ部を前記第２の筐体側の面に、前記第２の筐体側の面を向いた状態で保持する、突起部を有する。
【０００９】
好適には、前記突起部は、前記第１のカメラ部を前記第１の筐体側の面に、前記第１の筐体側の面を向いた状態で保持する、突起形状の第１の突起部と、前記第２のカメラ部を前記第２の筐体側の面に、前記第２の筐体側の面を向いた状態で保持する、突起形状の第２の突起部と、を含み、前記第１の突起部は、前記第１のカメラ部と前記保持部を摺動移動可能に、かつ、前記第１の筐体側に移動しないように保持し、前記第２の突起部は、前記第２のカメラ部と前記保持部を摺動移動可能に、かつ、前記第２の筐体側に移動しないように保持する。
【発明の効果】
【００１０】
本発明によると、２個のカメラ部を同時にかつ、容易に筐体内部に位置決め配設することができる携帯電子機器を提供することができる。
【図面の簡単な説明】
【００１１】
【図１】本発明の実施形態に係る携帯電話機の外観を示す斜視図である。
【図２】外部側方向から内部側方向を向いて筐体を斜めから見た外観の斜視図である。
【図３】図２におけるＡ位置から見た筐体の分解図である。
【図４】図３におけるプリント基板及び保持部のみを取り外した外観図である。
【図５】図４のプリント基板を展開した説明図である。
【図６】保持部によって図４の状態に保持されているプリント基板を筐体に組み込む状態の説明図である。
【図７】図１及び図３のＶＩＩ−ＶＩＩ断面の説明図である。
【図８】保持部の説明図である。
【発明を実施するための形態】
【００１２】
図１は、本発明の実施形態に係る携帯電話機１の外観を示す斜視図である。
【００１３】
携帯電話機１は、非折り畳み式の携帯電話機１として構成されている。
携帯電話機１は入力部１０及び表示部８が形成されているフロントケース６と、反対側部分を構成するリアケース７とを有している。以下、フロントケース６とリアケース７とをあわせて筐体２という。
【００１４】
フロントケース６及びリアケース７はネジ等により互いに固定され、フロントケース６及びリアケース７の間に形成された空間に種々の電子部材を収容する収納空間１２（図３参照のこと）が構成される。
フロントケース６、リアケース７は、例えば、樹脂により形成されている。
【００１５】
入力部１０には、複数の入力キーが配置されており、ユーザはこの入力キーを押圧することによって携帯電話機１に命令・入力を行う。
なお、入力部１０は図１ではフロントケース６の表面にのみ配置されているが、筐体２の右側面１３、左側面１４、上側面１５及び下側面１６等に配置されているサイドキーも含まれる。
【００１６】
表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００１７】
なお、方向を示すときは、リアケース７からフロントケース６に向かう方向を表面方向（図１においては、紙面手前の方向）といい、フロントケース６からリアケース７に向かう方向を裏面方向（図１においては、紙面奥手の方向）という。
【００１８】
また、入力部１０から表示部８に向かう方向の位置にある側面を上側面１５とし、表示部８から入力部１０に向かう方向の位置にある側面を下側面１６とする。
そして、上側面１５に向かう方向を上側面方向（図1においては紙面上の方向）といい、下側面１６に向かう方向を下側面方向（図１においては紙面下の方向）という。
【００１９】
さらに、表示部８を上にして入力部１０を下として、携帯電話機１を見たときに、右側に来る側面を右側面１３とし、左側に来る側面を左側面１４という。
そして、右側面１３側に向かう方向を右側面方向（図１においては、紙面右の方向）といい、左側面１４面に向かう方向を左側面方向（図１においては、紙面左の方向）という。
【００２０】
フロントケース６の上側面方向の周端部付近、かつ左側面１４側には、第１カメラ部２１ａが配置されている。この第１カメラ部２１ａは、静止画及び動画画像を撮影するためのものである。
特に、この第１カメラ部２１ａは携帯電話機１を操作するユーザ自身を撮影（自分撮り）する用途に用いられることが多い。
なぜなら、自分撮り時に表示部８に表示されている画像を確認しながら撮影することが多いからである。
【００２１】
図２は、外部側方向から内部側方向を向いて筐体２を斜めから見た外観の斜視図である。
【００２２】
図２の様に、携帯電話機１は、フロントケース６側のみならずリアケース７側にもカメラ機能を果たす第２カメラ部２１ｂが配置されている。
第１カメラ部２１ａと第２カメラ部２１ｂとは、筐体２のフロントケース６側及びリアケース７側のほぼ同一の位置に配置されている。
つまり、上側面１５側の周縁部付近であり、左側面１４側位置に第２カメラ部２１ｂが配置されている。
第２カメラ部２１ｂは、自分撮り以外に用いられることが多い。なぜなら、自分撮り以外の場合には、ユーザは表示部８に表示される画像を確認しながら、アングルやシャッタータイミングを決定するからである。
【００２３】
リアケース７の下方向位置にはバッテリカバー１１が配置されており、この内部にバッテリ等が配置されている。
【００２４】
図３は、図２におけるＡ位置から見た筐体２の分解図である。
【００２５】
図３の様に、フロントケース６とリアケース７とは、その内面どうしを対向させて接合されている。
そして、フロントケース６とリアケース７とによって、各種の電子部品を収容する収納空間１２が形成される。
この収納空間１２の内部には、図示されていない第１カメラ部２１ａ及び第２カメラ部２１ｂが実装されているプリント基板２０、並びに、第１カメラ部２１ａ及び第２カメラ部２１ｂを保持するための保持部３０が収納されている。
【００２６】
図４は、図３におけるプリント基板２０及び保持部３０のみを取り外した外観図である。
【００２７】
プリント基板２０は、フレキシブルな素材からできており、曲げて配線するとことができる。
プリント基板２０は、携帯電話機１の内部の電子部品（ＣＰＵ等）が実装された回路基板２２と接合端子２０ａ側で電気的に接合可能である。
【００２８】
図５は、図４のプリント基板２０を展開した説明図である。
【００２９】
プリント基板２０の、接合端子２０ａ側と反対位置には、第１カメラ部２１ａ、第２カメラ部２１ｂが順に実装されている。
そして、第１カメラ部２１ａと、第２カメラ部２１ｂとの間部分から折り込まれる。そして、折り込まれた間に保持部３０が位置している。
その結果、図４の様に、第１カメラ部２１ａと第２カメラ部２１ｂとは、保持部３０を中心として、その両サイド側に第１カメラ部２１ａと第２カメラ部２１ｂとがその背面どうしが向かい合わせで配置されていることになる。
保持部３０は、プリント基板２０の第１カメラ部２１ａと第２カメラ部２１ｂとを図４における状態に維持するための機能を果たしている。
なお、この保持部３０の細部の構成は図８において説明する。
【００３０】
図６は、保持部３０によって図４の状態に保持されているプリント基板２０を筐体２に組み込む状態の説明図である。
【００３１】
図６のように、保持部３０によってプリント基板２０が、第１カメラ部２１ａと第２カメラ部２１ｂとの間で折り返された状態に保持されている。
そして、その状態のまま、フロントケース６に形成されているフロントケース側位置決め部４０ａ部分に挿入させる。
これによって、第１カメラ部２１ａと保持部３０が位置決めされる。
なお、図３のリアケース７側にもフロントケース側位置決め部４０ａとほぼ同一の位置に、リアケース側位置決め部４０ｂが形成されている。
このリアケース側位置決め部４０ｂによって、第２カメラ部２１ｂ及び保持部３０の位置決めがなされる。
【００３２】
図７は、図１及び図３のＶＩＩ−ＶＩＩ断面の説明図である。
【００３３】
図７の様に、フロントケース６側にはフロントケース側位置決め部４０ａが配置されている。また、リアケース７側にはリアケース側位置決め部４０ｂが配置されている。
このフロントケース６のフロントケース側位置決め部４０ａに第１カメラ部２１ａが挿入されることによって位置決め配設されている。
さらに、このリアケース７のリアケース側位置決め部４０ｂに第２カメラ部２１ｂが挿入されることによって位置決め配設されている。
また、プリント基板２０の接合端部２０ａは回路基板２２とコネクタによって電気的に結合している。これによって、第１カメラ部２１ａ及び第２カメラ部２１ｂは回路基板上に配置されている制御部からの命令情報の入力を受け、又は、第１カメラ部２１ａ及び第２カメラ部２１ｂが撮影した映像情報を出力している。
【００３４】
より詳細には、フロントケース６に設けられているフロントケース側位置決め部４０ａの形状は、開口部の直径が大きく、穴の底辺部の直径が小さい円錐台形の形状を有した穴形状である。
一方、第１カメラ部２１ａの形状も円錐台形形状となっている。
このような形状を、フロントケース側位置決め部４０ａ及び第１カメラ部２１ａが有することから、図３のようにプリント基板２０及び保持部３０をフロントケース６のフロントケース側位置決め部４０ａに単に挿入することにより、第１カメラ部２１ａをフロントケース６の所定の位置に位置決めすることができる。
これによって、組立が極めて効率的になる。
【００３５】
なお、後述するが、保持部３０は第１カメラ部２１ａを図４の状態に保持しているが、その保持は強固なものではなく、第１カメラ部２１ａは保持部３０上を摺動可能である。
ここで、第１カメラ部２１ａはフロントケース６の所定の位置に確実に位置決めされなければならない。なぜなら、位置がずれてしまうと第１カメラ部２１ａでの撮影に支障が生じてしまうからである。
この位置決めをするために、第１カメラ部２１ａは保持部３０上を摺動可能であることが大きく寄与している。
つまり、もし、保持部３０の第１カメラ部２１ａの保持が強固である場合には、保持部３０が筐体２の所定の位置に正確に位置決めされており、かつ、第１カメラ部２１ａも保持部３０の所定の位置に正確に位置決めされていなければ、第１カメラ部２１ａの位置はずれてしまう。
もしくは、保持部３０との強固な結合状態が解除されなければ第１カメラ部２１ａは所定の場所に位置することができない。
しかし、本実施例の様に、第１カメラ部２１ａは保持部３０上を摺動可能である場合には、制作誤差または組立誤差等によって多少、保持部３０が筐体２の所定の位置からずれていても、摺動によって適切な位置移動可能である。
その上で、フロントケース側位置決め部４０ａ及び第１カメラ部２１ａの形状が円錐台形形状となっていることによる位置決めがなされるのであるから、正確に位置決めが可能である。
このような構成によって、第１カメラ部２１ａは組立時の誤差、制作誤差があっても正確な位置決めができる。このことは、制作上の手間が大幅に減ることを意味する。
【００３６】
他方、リアケース７側もほぼ同一の構成を有している。
つまり、リアケース７に設けられているリアケース側位置決め部４０ｂの形状は、開口部の直径が大きく、穴の底辺部の直径が小さい円錐台形の形状を有した穴形状である。
第２カメラ部２１ｂの形状も円錐台形形状となっている。
このような形状を、リアケース側位置決め部４０ｂ及び第２カメラ部２１ｂを有することから、図３のようにプリント基板２０及び保持部３０をフロントケース６のフロントケース側位置決め部４０ａに単に挿入した後に、リアケース７をかぶせることによって、第２カメラ部２１ｂをリアケース７の所定の位置に位置決めすることができる。
これによって、組立が極めて効率的になる。
【００３７】
なお、後述するが、保持部３０は第２カメラ部２１ｂを図４の状態に保持しているが、その保持は強固なものではなく、第２カメラ部２１ｂは保持部３０上を摺動可能である。
ここで、第２カメラ部２１ｂはリアケース７の所定の位置に確実に位置決めされなければならない。なぜなら、位置がずれてしまうと第２カメラ部２１ｂでの撮影に支障が生じてしまうからである。
この位置決めをするために、第２カメラ部２１ｂは保持部３０上を摺動可能であることが大きく寄与している。
つまり、もし、保持部３０の第２カメラ部２１ｂの保持が強固である場合には、保持部３０が筐体２の所定の位置に正確に位置決めされており、かつ、第２カメラ部２１ｂも保持部３０の所定の位置に正確に位置決めされていなければ、第２カメラ部２１ｂの位置はずれてしまう。
もしくは、保持部３０との強固な結合状態が解除されなければ第２カメラ部２１ｂは所定の場所に位置することができない。
しかし、本実施例の様に、第２カメラ部２１ｂは保持部３０上を摺動可能である場合には、制作誤差または組立誤差等によって多少、保持部３０が筐体２の所定の位置からずれていても、摺動によって適切な位置移動可能である。
その上で、リアケース側位置決め部４０ｂ及び第２カメラ部２１ｂの形状が円錐台形形状となっていることによる位置決めがなされるのであるから、正確に位置決めが可能である。
このような構成によって、第２カメラ部２１ｂは組立時の誤差、制作誤差があっても正確な位置決めができる。このことは、制作上の手間が大幅に減ることを意味する。
【００３８】
以上では、第１カメラ部２１ａと第２カメラ部２１ｂとの位置決めを別々に記載してきたが、本発明の実施例のようにカメラ部が複数ある場合における組立の簡便化には特に威力を発揮する。
つまり、複数のカメラ部が存在する携帯電話機１を組み立てる場合には、カメラ部の位置決めはそれぞれ正確になされなければならず、それぞれ独立に行う必要がある。
しかし、そのようにすると、組立誤差や制作誤差（射出成型における誤差）を厳格に管理しなければならないし、さらに、組立工数の増大をもたらす。
それに引き換え、本発明の実施例によれば、きわめて簡単な構成で極めて簡単な組み立て方法によって２台のカメラ部を実装することができる。
さらに、１つのプリント基板２０及び保持部３０によって、位置決めすることができるので部品点数の節約になる。
さらに、第１カメラ部２１ａと第２カメラ部２１ｂとを正確に位置決めすることができるのであるから、カメラの光軸と筐体２との位置関係のずれがなくなり外観が改善されるという効果がある。
【００３９】
図８は、保持部３０の説明図である。
【００４０】
図８のように、保持部３０は平面状の平面部３３、フロントケース側壁面３４ａ、リアケース側壁面３４ｂ及び突起部３１から形成されている。
また、突起部３１は、フロントケース側突起部３１ａ及びリアケース側突起部３１ｂから成っている。
平面部３３の両端部に、Ｈ字形状となるようにするように、フロントケース側壁面３４ａと第１の突起部の引け防止凹部３２ａが対向して配置されている。また、平面部３３の両端部に、Ｈ字形状となるようにするように、リアケース側壁面３４ｂと第２の突起部の引け防止凹部３２ｂが対向して配置されている。
なお、平面部３３の第１カメラ部２１ａが配置される面であり、かつ、フロントケース６側を向いた面をフロントケース側平面部３３ａという。
また、平面部３３の第２カメラ部２１ｂが配置される面であり、かつ、リアケース７側を向いた面をリアケース側平面部３３ｂという。
プリント基板２０に実装された、第１カメラ部２１ａがフロントケース側平面部３３ａの位置に配置され、第２カメラ部２１ｂがリアケース側平面部３３ｂの位置に配置される。
【００４１】
フロントケース側突起部３１ａは、第１の突起部の引け防止凹部３２ａを有している。
他方、リアケース側突起部３１ｂは、第２の突起部の引け防止凹部３２ｂを有している。
【００４２】
以上の実施形態によれば、本発明の携帯電話機１は、フロントケース６と、フロントケース６と内面どうしを対向して接合させられることによって収納空間１２を形成するリアケース７と、を有している。
また、収納空間１２の内部に配設される、第１カメラ部２１ａと第２カメラ部２１ｂが実装され折り畳み可能なプリント基板２０と、収納空間１２の内部に配設され、折り畳まれたプリント基板２０の間に挟み込まれる保持部３０と、を有している。
そして、保持部３０は、第１カメラ部２１ａをフロントケース６側の面に、フロントケース６側の面を向いた状態で保持し、第２カメラ部２１ｂをリアケース７の面に、リアケース７の筐体側の面を向いた状態で保持し、第１カメラ部２１ａと第２カメラ部２１ｂを摺動方向に相対移動可能に保持する。
このような構成によって、カメラ部が複数ある場合における組立の簡便化が図れる。
つまり、複数のカメラ部が存在する携帯電話機１を組み立てる場合には、カメラ部の位置決めはそれぞれ正確になされなければならず、それぞれ独立に行う必要がある。
しかし、そのようにすると、組立誤差や制作誤差（射出成型における誤差）を厳格に管理しなければならないし、さらに、組立工数の増大をもたらす。
それに引き換え、本発明の実施例によれば、きわめて簡単な構成で極めて簡単な組み立て方法によって２台のカメラ部を実装することができる。
さらに、１つのプリント基板２０及び保持部３０によって、位置決めすることができるので部品点数の節約になる。
さらに、第１カメラ部２１ａと第２カメラ部２１ｂとを正確に位置決めすることができるのであるから、カメラの光軸と筐体２との位置関係のずれがなくなり外観が改善されるという効果がある。
【００４３】
フロントケース６は、第１カメラ部２１ａを位置決め配設するためのフロントケース側位置決め部４０ａを有し、リアケース７は、第２カメラ部２１ｂを位置決め配設するためのリアケース側位置決め部４０ｂを有する。
このような構成によって、きわめて簡単な構成で、簡単な組み立て方法によって２台のカメラ部を実装することができる。
【００４４】
保持部３０は、第１カメラ部２１ａをフロントケース６側の面に、フロントケース６側の面を向いた状態で保持し、第２カメラ部２１ｂをリアケース７側の面に、リアケース７側の面を向いた状態で保持する、突起部３１を有する。
このような構成によって、きわめて簡単な構成で、保持部３０は第１カメラ部２１ａ及び第２カメラ部２１ｂを保持することができる。
【００４５】
好適には、突起部３１は、第１カメラ部２１ａをフロントケース６側の面に、フロントケース６側の面を向いた状態で保持する、突起形状のフロントケース側突起部３１ａと、を有している。
また、第２カメラ部２１ｂをリアケース７側の面に、リアケース７側の面を向いた状態で保持する、突起形状のリアケース側突起部３１ｂと、を含んでいる。
そして、フロントケース側突起部３１ａは、第１カメラ部２１ａと保持部３０を摺動移動可能に、かつ、フロントケース６側に移動しないように保持し、リアケース側突起部３１ｂは、第２カメラ部２１ｂと保持部３０を摺動移動可能に、かつ、リアケース７側に移動しないように保持する。
このような構成によって、きわめて簡単な構成で、簡単な組み立て方法によって２台のカメラ部を実装することができる。
【００４６】
なお、以上の実施形態において、筐体２は本発明の筐体の一例である。つまり、筐体とは、携帯電子機器を収容する容器に該当するものであればどのようなものであってもよい。さらに、容器の一部、例えば、フロントケース６、リアケース７であっても筐体に該当する。
また、本発明の実施例では第１カメラ部２１ａと第２カメラ部２１ｂとは、反対方向（１８０度）を向いていたが、必ずしもこのような形状に限定する趣旨ではなく、たとえば、９０度の角度であってもよいし、その他の角度であってもよい。
つまり、例えば、フロントケース６と左側面１４にカメラ部が配置されていてもよい。
【００４７】
本発明は、以上の実施形態に限定されず、種々の態様で実施されてよい。
【００４８】
携帯電子機器は、携帯電話機１に限定されない。例えば、携帯電子機器は、ノートパソコン、ＰＤＡ、ゲーム機、カメラであってもよい。また、携帯電子機器は、非折り畳み式のものに限定されない。２つの筐体２から構成される折り込み式の携帯電子機器であってもよい。
【符号の説明】
【００４９】
１…携帯電話機、２…筐体、６…フロントケース（第１の筐体）、７…リアケース（第２の筐体）、８…表示部、１０…入力部、１１…バッテリカバー、１２…収納空間、２０…プリント基板、２０ａ…接合端子、２１ａ…第１カメラ部（第１のカメラ部）、２１ｂ…第２カメラ部（第２のカメラ部）、２２…回路基板、３０…保持部、３１…突起部、３１ａ…フロントケース側突起部（第１の突起部）、３１ｂ…リアケース側突起部（第２の突起部）、３２ａ…第１の突起部の引け防止凹部（第１の凹部）、３２ｂ…第２の突起部の引け防止凹部（第２の凹部）、３３…平面部、３３ａ…フロントケース側平面部、３３ｂ…リアケース側平面部、３４ａ…フロントケース側壁面、３４ｂ…リアケース側壁面、４０ａ…フロントケース側位置決め部（第１の位置決め部）、４０ｂ…リアケース側位置決め部（第２の位置決め部）
【図１】
2011049898.tif 000003
【図２】
2011049898.tif 000004
【図３】
2011049898.tif 000005
【図４】
2011049898.tif 000006
【図５】
2011049898.tif 000007
【図６】
2011049898.tif 000008
【図７】
2011049898.tif 000009
【図８】
2011049898.tif 000010